(57)【要約】【課題】  代替の携帯電話機を容易に使用する。【解決手段】  同一の加入権情報が書き込まれた２枚のＳＩＭカードを使用し、一方のＳＩＭカードが装着された携帯電話機がメイン携帯電話機制御部２０３によって制御され、また、他方のＳＩＭカードが装着された携帯電話機がサブ携帯電話機制御部２０４によって制御され、メイン携帯電話機制御部２０３とサブ携帯電話機制御部２０４とのいずれか一方を有効にするかが有効／無効設定部２０２にて設定される。【選択図】図２
2006245770.tif 000002
【特許請求の範囲】
【請求項１】
携帯電話機を動作させるための同一の加入権情報が書き込まれた第１及び第２のＳＩＭカードを用い、前記第２のＳＩＭカードが装着されて動作する携帯電話機を該携帯電話機とは異なる前記第１のＳＩＭカードが装着されて動作する携帯電話機と同等に動作させる携帯電話機代替方法であって、
前記第１のＳＩＭカードが装着された携帯電話機または前記第２のＳＩＭカードが装着された携帯電話機の電源の投入または切断を認識する処理と、
前記携帯電話機の電源の投入または切断に応じて、前記第１のＳＩＭカードが装着された携帯電話機と前記第２のＳＩＭカードが装着された携帯電話機とのいずれか一方に対する制御を有効にする処理とを有する携帯電話機代替方法。
【請求項２】
請求項１に記載の携帯電話機代替方法において、
前記携帯電話機と接続可能に構成されたサーバ内に前記第１のＳＩＭカードが装着された携帯電話機に格納されている情報を格納しておく処理と、
前記第２のＳＩＭカードが装着された携帯電話機の電源の投入を認識した際に、前記サーバ内に格納されている情報を前記第２のＳＩＭカードが装着された携帯電話機にダウンロードする処理を有することを特徴とする携帯電話機代替方法。
【請求項３】
携帯電話機を動作させるための同一の加入権情報が書き込まれた第１及び第２のＳＩＭカードを用い、前記第２のＳＩＭカードが装着されて動作する携帯電話機を該携帯電話機とは異なる前記第１のＳＩＭカードが装着されて動作する携帯電話機と同等に動作させる携帯電話機代替方法であって、
前記第１のＳＩＭカードが装着された携帯電話機または前記第２のＳＩＭカードが装着された携帯電話機からの有効／無効の設定を認識する処理と、
前記携帯電話機からの設定に応じて、前記第１のＳＩＭカードが装着された携帯電話機と前記第２のＳＩＭカードが装着された携帯電話機とのいずれか一方に対する制御を有効にする処理とを有する携帯電話機代替方法。
【請求項４】
請求項３に記載の携帯電話機代替方法において、
前記携帯電話機と接続可能に構成されたサーバ内に前記第１のＳＩＭカードが装着された携帯電話機に格納されている情報を格納しておく処理と、
前記第２のＳＩＭカードが装着された携帯電話機からの有効の設定を認識した際に、前記サーバ内に格納されている情報を前記第２のＳＩＭカードが装着された携帯電話機にダウンロードする処理を有することを特徴とする携帯電話機代替方法。
【請求項５】
ＳＩＭカードが装着されて動作する携帯電話機を該携帯電話機とは異なる携帯電話機と同等に動作させる携帯電話機代替システムであって、
前記携帯電話機を動作させるための同一の加入権情報が書き込まれた第１及び第２のＳＩＭカードと、
前記携帯電話機に接続可能に構成され、前記ＳＩＭカードが装着された携帯電話機の動作を制御する制御手段とを有し、
前記制御手段は、
前記第１のＳＩＭカードが装着された携帯電話機の動作を制御する第１の携帯電話機制御手段と、
前記第２のＳＩＭカードが装着された携帯電話機の動作を制御する第２の携帯電話機制御手段と、
前記第１の携帯電話機制御手段と前記第２の携帯電話機制御手段とのいずれか一方を有効とする有効／無効設定手段とを有する携帯電話機代替システム。
【請求項６】
請求項５に記載の携帯電話機代替システムにおいて、
前記第１のＳＩＭカードが装着された携帯電話機に格納されている情報を一時格納するサーバを有し、
前記第２の携帯電話機制御手段は、前記サーバに一時格納された情報を、該サーバから前記第２のＳＩＭカードが装着された携帯電話機へダウンロードすることを特徴とする携帯電話機代替システム。
【請求項７】
請求項５または請求項６に記載の携帯電話機代替システムにおいて、
前記有効／無効設定手段は、前記第１のＳＩＭカードが装着された携帯電話機または第２のＳＩＭカードが装着された携帯電話機の電源の投入または切断を認識することにより、前記第１の携帯電話機制御手段と前記第２の携帯電話機制御手段とのいずれか一方を有効にすることを特徴とする携帯電話機代替システム。
【請求項８】
請求項５または請求項６に記載の携帯電話機代替システムにおいて、
前記有効／無効設定手段は、前記第１のＳＩＭカードが装着された携帯電話機または第２のＳＩＭカードが装着された携帯電話機からの設定により、前記第１の携帯電話機制御手段と前記第２の携帯電話機制御手段とのいずれか一方を有効にすることを特徴とする携帯電話機代替システム。
【請求項９】
ＳＩＭカードが装着されて動作する携帯電話機と接続可能に構成され、携帯電話機を動作させるための同一の加入権情報が書き込まれた第１及び第２のＳＩＭカードを用い、前記第２のＳＩＭカードが装着されて動作する携帯電話機を該携帯電話機とは異なる前記第１のＳＩＭカードが装着されて動作する携帯電話機と同等に動作させる制御装置であって、
前記第１のＳＩＭカードが装着された携帯電話機の動作を制御する第１の携帯電話機制御手段と、
前記第２のＳＩＭカードが装着された携帯電話機の動作を制御する第２の携帯電話機制御手段と、
前記第１の携帯電話機制御手段と前記第２の携帯電話機制御手段とのいずれか一方を有効とする有効／無効設定手段とを有する制御装置。
【請求項１０】
請求項９に記載の制御装置において、
前記第１のＳＩＭカードが装着された携帯電話機に格納されている情報を一時格納するサーバと接続可能に構成され、
前記第２の携帯電話機制御手段は、前記サーバに一時格納された情報を、該サーバから前記第２のＳＩＭカードが装着された携帯電話機へダウンロードすることを特徴とする制御装置。
【請求項１１】
請求項９または請求項１０に記載の制御装置において、
前記有効／無効設定手段は、前記第１のＳＩＭカードが装着された携帯電話機または第２のＳＩＭカードが装着された携帯電話機の電源の投入または切断を認識することにより、前記第１の携帯電話機制御手段と前記第２の携帯電話機制御手段とのいずれか一方を有効にすることを特徴とする制御装置。
【請求項１２】
請求項９または請求項１０に記載の制御装置において、
前記有効／無効設定手段は、前記第１のＳＩＭカードが装着された携帯電話機または第２のＳＩＭカードが装着された携帯電話機からの設定により、前記第１の携帯電話機制御手段と前記第２の携帯電話機制御手段とのいずれか一方を有効にすることを特徴とする制御装置。
【発明の詳細な説明】
【技術分野】
【０００１】
本発明は、外出時にユーザが所有の携帯電話機を自宅等に置き忘れた等、代替の携帯電話機が必要である場合に、代替の携帯電話機を用いて発着信を行う携帯電話機代替方法、携帯電話機代替システム及び制御装置に関する。
【背景技術】
【０００２】
近年、携帯電話機の所有率が急激に増え、携帯電話機が通信手段として必需品となっていると言っても過言ではない。そのため、例えば、外出した際に、ユーザが所有する携帯電話機を自宅等に置き忘れてしまった場合、その携帯電話機を用いて他の者から連絡をとることができず、また、そのユーザが他の電話機を使用して他の者に連絡をとろうとしても、連絡先の電話番号が所有の携帯電話機のメモリに登録されているため、所望の連絡先の電話番号がわからずに電話をかけることが困難となってしまう。さらに、代替の携帯電話機を使用した場合であっても、外出先から自宅に戻って所有の携帯電話機が使用できるようになるまでの間、当該ユーザに連絡を取る場合にはその代替の携帯電話機の電話番号にかけてほしい旨を、特定の相手に順次連絡しなければならない。
【０００３】
そこで、代替の携帯電話機を店舗からレンタルする際に、所有する携帯電話機への着信電話を代替の携帯電話機へ転送する設定を行い、また、所有の携帯電話機のメモリに登録されているデータを予めサーバに登録しておくことにより、その登録されたデータをサーバから代替の携帯電話機へダウンロードして代替の携帯電話機において使用可能とする方法が考えられている（例えば、特許文献１参照。）。
【特許文献１】特開２００２−１５８７７９号公報
【発明の開示】
【発明が解決しようとする課題】
【０００４】
しかしながら、特許文献１に記載された方法では、代替の携帯電話機をレンタルするために、その転送設定等を含むレンタル業務を行う窓口を有する店舗または専用の窓口までユーザが足を運ばなくてはならないという問題点がある。また、転送設定等を含むレンタル業務を行う窓口を有する店舗または専用の窓口が近隣に存在しない地域においては、当該代替の携帯電話機をレンタルすることができず、また、それを可能にするためには、新たにその転送設定等を含むレンタル業務を行う窓口を有する店舗または専用の窓口を設置しなければならないという問題点がある。さらに、代替の携帯電話機からの発信については、所有の携帯電話機の番号ではなく代替の携帯電話機の番号が発信者番号として着信者の電話機に表示されるため、その着信者が、知らない者からの電話と認識してしまい、意識的に応答せずに連絡が取れなくなってしまうという問題点がある。
【０００５】
本発明は、上述したような従来の技術が有する問題点を鑑みてなされたものであって、代替の携帯電話機を容易に使用できる携帯電話機代替方法、携帯電話機代替システム及び制御装置を提供することを目的とする。
【課題を解決するための手段】
【０００６】
上記目的を達成するために本発明は、
携帯電話機を動作させるための同一の加入権情報が書き込まれた第１及び第２のＳＩＭカードを用い、前記第２のＳＩＭカードが装着されて動作する携帯電話機を該携帯電話機とは異なる前記第１のＳＩＭカードが装着されて動作する携帯電話機と同等に動作させる携帯電話機代替方法であって、
前記第１のＳＩＭカードが装着された携帯電話機または前記第２のＳＩＭカードが装着された携帯電話機の電源の投入または切断を認識する処理と、
前記携帯電話機の電源の投入または切断に応じて、前記第１のＳＩＭカードが装着された携帯電話機と前記第２のＳＩＭカードが装着された携帯電話機とのいずれか一方に対する制御を有効にする処理とを有する。
【０００７】
また、前記携帯電話機と接続可能に構成されたサーバ内に前記第１のＳＩＭカードが装着された携帯電話機に格納されている情報を格納しておく処理と、
前記第２のＳＩＭカードが装着された携帯電話機の電源の投入を認識した際に、前記サーバ内に格納されている情報を前記第２のＳＩＭカードが装着された携帯電話機にダウンロードする処理を有することを特徴とする。
【０００８】
また、携帯電話機を動作させるための同一の加入権情報が書き込まれた第１及び第２のＳＩＭカードを用い、前記第２のＳＩＭカードが装着されて動作する携帯電話機を該携帯電話機とは異なる前記第１のＳＩＭカードが装着されて動作する携帯電話機と同等に動作させる携帯電話機代替方法であって、
前記第１のＳＩＭカードが装着された携帯電話機または前記第２のＳＩＭカードが装着された携帯電話機からの有効／無効の設定を認識する処理と、
前記携帯電話機からの設定に応じて、前記第１のＳＩＭカードが装着された携帯電話機と前記第２のＳＩＭカードが装着された携帯電話機とのいずれか一方に対する制御を有効にする処理とを有する。
【０００９】
また、前記携帯電話機と接続可能に構成されたサーバ内に前記第１のＳＩＭカードが装着された携帯電話機に格納されている情報を格納しておく処理と、
前記第２のＳＩＭカードが装着された携帯電話機からの有効の設定を認識した際に、前記サーバ内に格納されている情報を前記第２のＳＩＭカードが装着された携帯電話機にダウンロードする処理を有することを特徴とする。
【００１０】
また、ＳＩＭカードが装着されて動作する携帯電話機を該携帯電話機とは異なる携帯電話機と同等に動作させる携帯電話機代替システムであって、
前記携帯電話機を動作させるための同一の加入権情報が書き込まれた第１及び第２のＳＩＭカードと、
前記携帯電話機に接続可能に構成され、前記ＳＩＭカードが装着された携帯電話機の動作を制御する制御手段とを有し、
前記制御手段は、
前記第１のＳＩＭカードが装着された携帯電話機の動作を制御する第１の携帯電話機制御手段と、
前記第２のＳＩＭカードが装着された携帯電話機の動作を制御する第２の携帯電話機制御手段と、
前記第１の携帯電話機制御手段と前記第２の携帯電話機制御手段とのいずれか一方を有効とする有効／無効設定手段とを有する。
【００１１】
また、前記第１のＳＩＭカードが装着された携帯電話機に格納されている情報を一時格納するサーバを有し、
前記第２の携帯電話機制御手段は、前記サーバに一時格納された情報を、該サーバから前記第２のＳＩＭカードが装着された携帯電話機へダウンロードすることを特徴とする。
【００１２】
また、前記有効／無効設定手段は、前記第１のＳＩＭカードが装着された携帯電話機または第２のＳＩＭカードが装着された携帯電話機の電源の投入または切断を認識することにより、前記第１の携帯電話機制御手段と前記第２の携帯電話機制御手段とのいずれか一方を有効にすることを特徴とする。
【００１３】
また、前記有効／無効設定手段は、前記第１のＳＩＭカードが装着された携帯電話機または第２のＳＩＭカードが装着された携帯電話機からの設定により、前記第１の携帯電話機制御手段と前記第２の携帯電話機制御手段とのいずれか一方を有効にすることを特徴とする。
【００１４】
また、ＳＩＭカードが装着されて動作する携帯電話機と接続可能に構成され、携帯電話機を動作させるための同一の加入権情報が書き込まれた第１及び第２のＳＩＭカードを用い、前記第２のＳＩＭカードが装着されて動作する携帯電話機を該携帯電話機とは異なる前記第１のＳＩＭカードが装着されて動作する携帯電話機と同等に動作させる制御装置であって、
前記第１のＳＩＭカードが装着された携帯電話機の動作を制御する第１の携帯電話機制御手段と、
前記第２のＳＩＭカードが装着された携帯電話機の動作を制御する第２の携帯電話機制御手段と、
前記第１の携帯電話機制御手段と前記第２の携帯電話機制御手段とのいずれか一方を有効とする有効／無効設定手段とを有する。
【００１５】
また、前記第１のＳＩＭカードが装着された携帯電話機に格納されている情報を一時格納するサーバと接続可能に構成され、
前記第２の携帯電話機制御手段は、前記サーバに一時格納された情報を、該サーバから前記第２のＳＩＭカードが装着された携帯電話機へダウンロードすることを特徴とする。
【００１６】
また、前記有効／無効設定手段は、前記第１のＳＩＭカードが装着された携帯電話機または第２のＳＩＭカードが装着された携帯電話機の電源の投入または切断を認識することにより、前記第１の携帯電話機制御手段と前記第２の携帯電話機制御手段とのいずれか一方を有効にすることを特徴とする。
【００１７】
また、前記有効／無効設定手段は、前記第１のＳＩＭカードが装着された携帯電話機または第２のＳＩＭカードが装着された携帯電話機からの設定により、前記第１の携帯電話機制御手段と前記第２の携帯電話機制御手段とのいずれか一方を有効にすることを特徴とする。
【００１８】
上記のように構成された本発明においては、同一の加入権情報が書き込まれた第１及び第２のＳＩＭカードを使用し、第１のＳＩＭカードが装着された携帯電話機が第１の携帯電話機制御手段によって制御され、また、第２のＳＩＭカードが装着された携帯電話機が第２の携帯電話機制御手段によって制御され、第１の携帯電話機制御手段と第２の携帯電話機制御手段とのいずれか一方が有効／無効設定手段にて有効に設定される。
【００１９】
このように、第１のＳＩＭカードが装着された携帯電話機が使用不可能である場合であっても、この第１のＳＩＭカードに書き込まれた情報と同一の情報が書き込まれた第２のＳＩＭカードが装着された携帯電話機の制御が有効に設定されることにより、第２のＳＩＭカードが装着された携帯電話機が使用可能となる。
【発明の効果】
【００２０】
以上説明したように本発明においては、同一の加入権情報が書き込まれた第１及び第２のＳＩＭカードを使用し、第１のＳＩＭカードが装着された携帯電話機が第１の携帯電話機制御手段によって制御され、また、第２のＳＩＭカードが装着された携帯電話機が第２の携帯電話機制御手段によって制御され、第１の携帯電話機制御手段と第２の携帯電話機制御手段とのいずれか一方を有効にするかが有効／無効設定手段にて設定される構成としたため、代替の携帯電話機を容易に使用できる。
【発明を実施するための最良の形態】
【００２１】
以下に、本発明の実施の形態について図面を参照して説明する。
【００２２】
図１は、本発明の携帯電話機代替システムの実施の一形態を示す図である。
【００２３】
本形態は図１に示すように、ユーザが所有する携帯電話機１０３と、ユーザが所有し、ユーザの加入権情報（電話番号）を含め、携帯電話機１０３を利用するための情報が書き込まれた第１のＳＩＭカードであるＳＩＭカード１０５と、ＳＩＭカード１０５に書き込まれた加入権情報と同一の加入権情報が書き込まれた第２のＳＩＭカードであるＳＩＭカード１０６と、ＳＩＭカード１０６が装着可能に構成され、ＳＩＭカード１０６に書き込まれた情報に応じて動作する携帯電話機１０４−１〜１０４−ｎと、ＳＩＭカード１０５，１０６がそれぞれ装着された携帯電話機１０３，１０４−１〜１０４−ｎの動作を制御する制御装置１０７と、ＳＩＭカード１０５が装着された携帯電話機１０３に格納されている電話帳等の情報を一時格納するサーバ１０８とから構成されている。なお、上述したように、ＳＩＭカード１０５，１０６には、ユーザが携帯電話機１０３，１０４−１〜１０４−ｎを利用する場合に必要となる加入権情報（電話番号）がそれぞれ書き込まれており、携帯電話機１０３，１０４−１〜１０４−ｎにＳＩＭカード１０５，１０６がそれぞれ装着されると、ＳＩＭカード１０５，１０６に書き込まれたこれらの情報が携帯電話機１０３，１０４−１〜１０４−ｎにそれぞれ読み取られ、携帯電話機１０３，１０４−１〜１０４−ｎが読み取った情報に応じて動作することになる。また、ＳＩＭカード１０５，１０６には、上述したような情報に加えて、ＳＩＭカード１０５，１０６を識別可能なＩＤも書き込まれている。
【００２４】
図２は、図１に示した制御装置１０７の構成例を示す図である。
【００２５】
図１に示した制御装置１０７は図２に示すように、入出力部２０１を介して携帯電話機１０３，１０４−１〜１０４−ｎから入力されるデータに基づいて、携帯電話機１０３，１０４−１〜１０４−ｎにそれぞれ装着されているＳＩＭカード１０５，１０６の有効／無効を設定する有効／無効設定部２０２と、ＳＩＭカード１０５が装着された携帯電話機１０３の制御を行う第１の携帯電話機制御手段であるメイン携帯電話機制御部２０３と、ＳＩＭカード１０６が装着された携帯電話機１０４−１〜１０４−ｎの制御を行う第２の携帯電話機制御手段であるサブ携帯電話機制御部２０４とから構成されている。なお、図２においては、制御装置１０７に設けられている機能の中で本発明の特徴となるもののみを示した。
【００２６】
以下に、図１に示した形態における携帯電話機代替方法について説明する。
【００２７】
まず、本形態においては、ユーザが、上述したような同じ加入権情報（電話番号）が書き込まれた２枚のＳＩＭカード１０５，１０６の契約をし、さらに、２枚のＳＩＭカード１０５，１０６のうち、一方のＳＩＭカード１０５をメインとして設定し、ユーザ１０２が所有する携帯電話機１０３に装着しておき、また、他方のＳＩＭカード１０６をサブとして設定し、ユーザが常に所持しておくことが前提条件となる。
【００２８】
また、ＳＩＭカード１０５が装着された携帯電話機１０３に格納されている電話帳等の情報がサーバ１０８に送信及び格納されておく必要がある。ＳＩＭカード１０５が装着された携帯電話機１０３から電話帳等の情報が送信されると、制御装置１０７内の入出力部２０１を介してメイン携帯電話機制御部２０３においてその情報が受信される。メイン携帯電話制御部２０３において、受信された情報がサーバ１０８へ送信される情報であると認識されると、その情報は入出力部２０１を介してサーバ１０８へ送信される。サーバ１０８へ送信された情報は、サーバ１０８内に格納される。
【００２９】
図３は、図１に示した形態における携帯電話機代替方法の一例を説明するためのフローチャートであり、また、図４は、図１に示した形態における携帯電話機代替方法の一例を説明するための図である。なお、以下の説明においては、図４に示すように、携帯電話機１０３を所有するユーザ１０２が、ＳＩＭカード１０５が装着された携帯電話機１０３を自宅１０１に置き忘れて外出し、所持するＳＩＭカード１０６を携帯電話機１０４−１に装着して使用する場合を例に挙げる。なお、図４に示した携帯電話機１０３，１０４−１へのＳＩＭカード１０５，１０６のそれぞれの装着方法は、図中で装着が明瞭になるように示したものであって、装着位置等を限定するものではない。
【００３０】
ユーザ１０２が外出した際に、ＳＩＭカード１０５が装着された携帯電話機１０３を自宅１０１に置き忘れてきており、携帯電話機１０３の電源は投入されたままになっているとする。
【００３１】
ユーザ１０２が外出先にて、携帯電話機１０３を自宅１０１に置き忘れてきたことに気付き、外出に同行した友人や、外出先の知り合い等からＳＩＭカードを装着することが可能な携帯電話機１０４−１を借り、ユーザ１０２が所持しているＳＩＭカード１０６を携帯電話機１０４−１に装着し、携帯電話機１０４−１の電源を入れると（ステップＳ１）、制御装置１０７においてＳＩＭカード１０６が装着された携帯電話機１０４−１に電源が投入されたことが認識され、サーバ１０８に格納されているＳＩＭカード１０５が装着された携帯電話機１０３に格納されている情報が、サブ携帯電話機制御部２０４によって、サーバ１０８からＳＩＭカード１０６が装着された携帯電話機１０４−１へダウンロードされ、また、有効／無効設定部２０２によって、ＳＩＭカード１０５が無効に設定され、つまり、ＳＩＭカード１０５が装着された携帯電話機１０３に対するメイン携帯電話機制御部２０３における制御が無効とされ、また、ＳＩＭカード１０６が有効に設定され、つまり、ＳＩＭカード１０６が装着された携帯電話機１０４−１に対するサブ携帯電話機制御部２０４における制御が有効とされる（ステップＳ２）。
【００３２】
ここで、ＳＩＭカード１０５，１０６においては、上述したように、ＳＩＭカード１０５，１０６を識別可能なＩＤが書き込まれており、携帯電話機１０４−１に電源が投入されると、ＳＩＭカード１０６のＩＤが携帯電話機１０４−１にて読み取られて制御装置１０７に送られ、制御装置１０７において、携帯電話機１０４−１から送られてきたＩＤに基づいて、ＳＩＭカード１０６が装着された携帯電話機１０４−１に電源が投入されたことが認識されることになる。
【００３３】
これにより、この時点からＳＩＭカード１０５が装着された携帯電話機１０３が使用不可能となり、また、ＳＩＭカード１０６が装着された携帯電話機１０４−１が使用可能となる。ＳＩＭカード１０６が装着された携帯電話機１０４−１は、ＳＩＭカード１０５が装着された携帯電話機１０３に格納されている情報と同一の情報がダウンロードされているため、ユーザ１０２は、通常通話等で使用している携帯電話機１０３と同等に携帯電話機１０４−１を使用することができる。
【００３４】
次に、ユーザ１０２が外出先から自宅１０１へ戻る際に、携帯電話機１０４−１を返却するために携帯電話機１０４−１の電源を切断すると（ステップＳ３）、制御装置１０７においてＳＩＭカード１０６が装着された携帯電話機１０４−１の電源が切断されたことが認識され、有効／無効設定部２０２によって、ＳＩＭカード１０５が有効に設定され、つまり、ＳＩＭカード１０５が装着された携帯電話機１０３に対するメイン携帯電話機制御部２０３における制御が有効とされ、また、ＳＩＭカード１０６が無効に設定され、つまり、ＳＩＭカード１０６が装着された携帯電話機１０４−１に対するサブ携帯電話機制御部２０４における制御が無効とされる（ステップＳ４）。その際、サーバ１０８からダウンロードされた情報は、携帯電話機１０４−１から消去される。
【００３５】
これにより、この時点からＳＩＭカード１０５が装着された携帯電話機１０３が使用可能となり、また、ＳＩＭカード１０６が装着された携帯電話機１０４−１が使用不可能となる。そのため、ユーザ１０２が自宅１０１に戻れば、ＳＩＭカード１０５が装着された携帯電話機１０３を使用することができる。なお、ＳＩＭカード１０６は、携帯電話機１０４−１から抜去される。
【００３６】
図５は、図１に示した形態における携帯電話機代替方法の他の例を説明するためのフローチャートである。
【００３７】
ユーザ１０２が外出した際に、ＳＩＭカード１０５が装着された携帯電話機１０３を自宅１０１に置き忘れてきており、携帯電話機１０３の電源は投入されたままになっているとする。
【００３８】
ユーザ１０２が外出先にて、携帯電話機１０３を自宅１０１に置き忘れてきたことに気付き、外出に同伴した友人や、外出先の知り合い等からＳＩＭカードを装着することが可能な携帯電話機１０４−１を借り、ユーザ１０２が所持しているＳＩＭカード１０６を携帯電話機１０４−１に装着し、携帯電話機１０４−１からＳＩＭカード１０６を有効にする設定を行うと（ステップＳ１１）、制御装置１０７内の入出力部２０１を介して有効／無効設定部２０２においてＳＩＭカード１０６を有効にする設定が認識され、サーバ１０８に格納されているＳＩＭカード１０５が装着された携帯電話機１０３に格納されている情報が、サブ携帯電話機制御部２０４によって、サーバ１０８からＳＩＭカード１０６が装着された携帯電話機１０４−１へダウンロードされ、また、ＳＩＭカード１０６が装着された携帯電話機１０４−１に対するサブ携帯電話機制御部２０４における制御が有効とされ、また、ＳＩＭカード１０５が無効に設定され、つまり、ＳＩＭカード１０５が装着された携帯電話機１０３に対するメイン携帯電話機制御部２０３における制御が無効とされる（ステップＳ１２）。
【００３９】
これにより、この時点からＳＩＭカード１０５が装着された携帯電話機１０３が使用不可能となり、また、ＳＩＭカード１０６が装着された携帯電話機１０４−１が使用可能となる。ユーザ１０２は、上述した場合と同様に、通常通話等で使用している携帯電話機１０３と同等に携帯電話機１０４−１を使用することができる。
【００４０】
次に、ユーザ１０２が外出先から自宅１０１へ戻る際に、携帯電話機１０４−１を返却するために携帯電話機１０４−１からＳＩＭカード１０６を無効にする設定を行うと（ステップＳ１３）、制御装置１０７内の入出力部２０１を介して有効／無効設定部２０２においてＳＩＭカード１０６を無効にする設定が認識され、ＳＩＭカード１０６が装着された携帯電話機１０４−１に対するサブ携帯電話機制御部２０４における制御が無効とされ、また、ＳＩＭカード１０５が有効に設定され、つまり、ＳＩＭカード１０５が装着された携帯電話機１０３に対するメイン携帯電話機制御部２０３における制御が有効とされる（ステップＳ１４）。その際、サーバ１０８からダウンロードされた情報は、携帯電話機１０４−１から消去される。
【００４１】
これにより、この時点からＳＩＭカード１０５が装着された携帯電話機１０３が使用可能となり、また、ＳＩＭカード１０６が装着された携帯電話機１０４−１が使用不可能となる。そのため、ユーザ１０２が自宅１０１に戻れば、ＳＩＭカード１０５が装着された携帯電話機１０３を使用することができる。なお、ＳＩＭカード１０６は、携帯電話機１０４−１から抜去される。
【００４２】
有効／無効の設定に関しては、ＳＩＭカード１０５，１０６がそれぞれ装着された携帯電話機１０３，１０４−１〜１０４−ｎのいずれからでも可能である。また、一方のＳＩＭカードの有効／無効が設定されると、他方のＳＩＭカードについては排他的な設定がなされる。
【００４３】
なお、携帯電話機１０３，１０４−１〜１０４−ｎからの発信については、発信が競合しない限り、有効／無効の設定を行わずに携帯電話機１０３，１０４−１〜１０４−ｎのいずれからでも発信を可能とすることも考えられる。
【００４４】
また、料金の課金については、それぞれのＳＩＭカード１０５，１０６別々に行っても良いし、一括で行っても良い。
【００４５】
さらに本発明は、通話だけではなく、電子メールの送受信に関しても同様の処理が行われる。
【図面の簡単な説明】
【００４６】
【図１】本発明の携帯電話機代替システムの実施の一形態を示す図である。
【図２】図１に示した制御装置の構成例を示す図である。
【図３】図１に示した形態における携帯電話機代替方法の一例を説明するためのフローチャートである。
【図４】図１に示した形態における携帯電話機代替方法の一例を説明するための図である。
【図５】図１に示した形態における携帯電話機代替方法の他の例を説明するためのフローチャートである。
【符号の説明】
【００４７】
１０１    自宅
１０２    ユーザ
１０３，１０４−１〜１０４−ｎ    携帯電話機
１０５，１０６    ＳＩＭカード
１０７    制御装置
１０８    サーバ
２０１    入出力部
２０２    有効／無効設定部
２０３    メイン携帯電話機制御部
２０４    サブ携帯電話機制御部
【図１】
2006245770.tif 000003
【図２】
2006245770.tif 000004
【図３】
2006245770.tif 000005
【図４】
2006245770.tif 000006
【図５】
2006245770.tif 000007